(57)【要約】【課題】  水栓ボディ及びそれを備える両方向分岐水栓を提供すること。【解決手段】  本体部と、拡径温水路と、前記拡径温水路と連通されるが、前記拡径温水路よりも幅狭の縮径温水路とを有し、前記本体部内に設けられ、温水が流動する場所を形成する温水流路と、拡径冷水路と、前記拡径冷水路と連通されるが、前記拡径冷水路よりも幅狭の縮径冷水路とを有し、冷水が流動する場所を形成するが、前記温水流路と隣り合うように前記本体部内に設けられる冷水流路と、前記温水流路と前記冷水流路のうちのどちらか一方の流路から分岐するように前記本体部に形成される分岐流路と、を備え、前記冷水流路の拡径冷水路領域における仮想の水平ラインは、前記温水流路の縮径温水路に対応するか、あるいは、前記温水流路の拡径温水路領域における仮想の水平ラインは、前記冷水流路の縮径冷水路に対応する。【選択図】  図７
2020063649.tif 000002
【特許請求の範囲】
【請求項１】
本体部と、
拡径温水路と、前記拡径温水路と連通されるが、前記拡径温水路よりも幅狭の縮径温水路とを有し、前記本体部内に設けられ、温水が流動する場所を形成する温水流路と、
拡径冷水路と、前記拡径冷水路と連通されるが、前記拡径冷水路よりも幅狭の縮径冷水路とを有し、冷水が流動する場所を形成するが、前記温水流路と隣り合うように前記本体部内に設けられる冷水流路と、
前記温水流路と前記冷水流路のうちのどちらか一方の流路から分岐するように前記本体部に形成される分岐流路と、を備え、
前記冷水流路の拡径冷水路領域における仮想の水平ラインは、前記温水流路の縮径温水路に対応するか、あるいは、前記温水流路の拡径温水路領域における仮想の水平ラインは、前記冷水流路の縮径冷水路に対応する
ことを特徴とする水栓ボディ。
【請求項２】
前記分岐流路は、前記冷水流路の拡径冷水路又は前記温水流路の拡径温水路に連通されるが、前記冷水流路の長手方向に交差する方向に沿って二股に分岐するように前記本体部に形成される
請求項１に記載の水栓ボディ。
【請求項３】
前記分岐流路は、鍛造又は通常の棒材加工により前記本体部内に形成される
請求項１に記載の水栓ボディ。
【請求項４】
水栓ハウジングと、
前記水栓ハウジングの一方の側に連結され、端部に温水又は冷水が吐き出される吐出口を有する水栓アームと、
前記水栓ハウジングに連結され、前記吐出口を開閉するレバーと、
前記水栓ハウジング内に設けられ、温水又は冷水を給水する水栓ボディと、
前記水栓ボディに温水を給水する温水給水ホースと、
前記水栓ボディに冷水を給水する冷水給水ホースと、を備え、
前記水栓ボディは、
本体部と、
拡径温水路と、前記拡径温水路と連通されるが、前記拡径温水路よりも幅狭の縮径温水路とを有し、前記本体部内に設けられるが、前記温水給水ホースと連結されて温水が流動する場所を形成する温水流路と、
拡径冷水路と、前記拡径冷水路と連通されるが、前記拡径冷水路よりも幅狭の縮径冷水路とを有し、前記冷水給水ホースと連結されて冷水が流動する場所を形成するが、前記温水流路と隣り合うように前記本体部内に設けられる冷水流路と、
前記温水流路と前記冷水流路のうちのどちらか一方の流路から分岐するように前記本体部に形成される分岐流路と、を備え、
前記冷水流路の拡径冷水路領域における仮想の水平ラインは、前記温水流路の縮径温水路に対応するか、あるいは、前記温水流路の拡径温水路領域における仮想の水平ラインは、前記冷水流路の縮径冷水路に対応する
ことを特徴とする両方向分岐水栓。
【請求項５】
前記分岐流路は、前記冷水流路の拡径冷水路又は前記温水流路の拡径温水路に連通されるが、前記冷水流路の長手方向に交差する方向に沿って二股に分岐するように前記本体部に形成される
請求項４に記載の両方向分岐水栓。
【請求項６】
前記分岐流路を備える前記水栓ボディは、鍛造又は通常の棒材加工により前記本体部内に形成される
請求項４に記載の両方向分岐水栓。
【発明の詳細な説明】
【技術分野】
【０００１】
本発明は、水栓ボディ及びそれを備える両方向分岐水栓に係り、更に詳しくは、従前とは異なり、流路の単純化を通して分岐流路を形成することができるので、従前のように鋳造工程を用いる必要なしに、鍛造又は通常の棒材加工で水栓ボディを製作することができ、これにより、生産コストを格段に節減することのできる水栓ボディ及びそれを備える両方向分岐水栓に関する。
【背景技術】
【０００２】
図１及び図２は、従来の技術による水栓の両側に浄水モジュールを連結した状態の図であり、図３は、図１及び図２に適用される水栓ボディの断面図であり、図４は、図３のＡ−Ａ線に沿った断面図である。
【０００３】
これらの図１から図４を参照すると、水栓１は、流し台などに設けられるものであり、その内部には、温水流路２０と冷水流路３０とが設けられる水栓ボディ１０が設けられる。
【０００４】
水栓ボディ１０は、隣り合う他の部品（図示せず）と協力して、温水若しくは冷水が吐き出されるようにする。
【０００５】
このような水栓１は、ありふれたものであるが、もし、このような水栓１の冷水流路３０を分岐させて浄水機、食器洗い機などのモジュール、例えば、分岐モジュールＡに連結しようとする場合、分岐モジュールＡの位置に応じて左右側の両方ともに対応できるようにするためには、水栓１内の冷水流路３０を左右の両方向に分岐させる必要がある。
【０００６】
このとき、従来の技術による水栓１の水栓ボディ１０は、その構造からみて、内部の温水流路２０を回避しながら冷水を両方向に分岐させることを余儀なくされたため、図４に示すように、分岐流路４０が直線状に形成できず、やむを得ず、水栓ボディ１０の外周に沿って引き回されるように複雑に設計せざるを得なかった。
【０００７】
したがって、鍛造又は通常の棒材加工では製作することができず、専ら中子を用いた鋳造工程でしか製作することができなかったという点で、生産コストが大幅に高騰してしまうという不具合がある。
【先行技術文献】
【特許文献】
【０００８】
【特許文献１】大韓民国特許出願第１０−２０１６−００９９０２３号明細書
【発明の概要】
【発明が解決しようとする課題】
【０００９】
本発明の目的は、従前とは異なり、流路の単純化を通して分岐流路を形成することができるので、従前のように鋳造工程を用いる必要なしに、鍛造又は通常の棒材加工で水栓ボディを製作することができ、これにより、生産コストを格段に節減することのできる、水栓ボディ及びそれを備える両方向分岐水栓を提供することである。
【課題を解決するための手段】
【００１０】
前記目的は、本体部と、拡径温水路と、前記拡径温水路と連通されるが、前記拡径温水路よりも幅狭の縮径温水路とを有し、前記本体部内に設けられ、温水が流動する場所を形成する温水流路と、拡径冷水路と、前記拡径冷水路と連通されるが、前記拡径冷水路よりも幅狭の縮径冷水路とを有し、冷水が流動する場所を形成するが、前記温水流路と隣り合うように前記本体部内に設けられる冷水流路と、前記温水流路と前記冷水流路のうちのどちらか一方の流路から分岐するように前記本体部に形成される分岐流路と、を備え、前記冷水流路の拡径冷水路領域における仮想の水平ラインは、前記温水流路の縮径温水路に対応するか、あるいは、前記温水流路の拡径温水路領域における仮想の水平ラインは、前記冷水流路の縮径冷水路に対応することを特徴とする水栓ボディにより達成される。
【００１１】
前記分岐流路は、前記冷水流路の拡径冷水路又は前記温水流路の拡径温水路に連通されるが、前記冷水流路の長手方向に交差する方向に沿って二股に分岐するように前記本体部に形成されてもよい。
前記分岐流路は、鍛造又は通常の棒材加工により前記本体部内に形成されてもよい。
【００１２】
一方、前記目的は、水栓ハウジングと、前記水栓ハウジングの一方の側に連結され、端部に温水又は冷水が吐き出される吐出口を有する水栓アームと、前記水栓ハウジングに連結され、前記吐出口を開閉するレバーと、前記水栓ハウジング内に設けられ、温水又は冷水を給水する水栓ボディと、前記水栓ボディに温水を給水する温水給水ホースと、前記水栓ボディに冷水を給水する冷水給水ホースと、を備え、前記水栓ボディは、本体部と、拡径温水路と、前記拡径温水路と連通されるが、前記拡径温水路よりも幅狭の縮径温水路とを有し、前記本体部内に設けられるが、前記温水給水ホースと連結されて温水が流動する場所を形成する温水流路と、拡径冷水路と、前記拡径冷水路と連通されるが、前記拡径冷水路よりも幅狭の縮径冷水路とを有し、前記冷水給水ホースと連結されて冷水が流動する場所を形成するが、前記温水流路と隣り合うように前記本体部内に設けられる冷水流路と、前記温水流路と前記冷水流路のうちのどちらか一方の流路から分岐するように前記本体部に形成される分岐流路と、を備え、前記冷水流路の拡径冷水路領域における仮想の水平ラインは、前記温水流路の縮径温水路に対応するか、あるいは、前記温水流路の拡径温水路領域における仮想の水平ラインは、前記冷水流路の縮径冷水路に対応することを特徴とする両方向分岐水栓によっても達成される。
【００１３】
前記分岐流路は、前記冷水流路の拡径冷水路又は前記温水流路の拡径温水路に連通されるが、前記冷水流路の長手方向に交差する方向に沿って二股に分岐するように前記本体部に形成されてもよい。
前記分岐流路を備える前記水栓ボディは、鍛造又は通常の棒材加工により前記本体部内に形成されてもよい。
【発明の効果】
【００１４】
本発明によれば、従前とは異なり、流路の単純化を通して分岐流路を形成することができるので、従前のように鋳造工程を用いる必要なしに、鍛造又は通常の棒材加工で水栓ボディを製作することができ、これにより、生産コストを格段に節減することができるという効果がある。
【図面の簡単な説明】
【００１５】
【図１】従来の技術による水栓の両側に浄水モジュールを連結した状態の説明図
【図２】従来の技術による水栓の両側に浄水モジュールを連結した状態の説明図
【図３】図１及び図２に適用される水栓ボディの断面図
【図４】図３のＡ−Ａ線に沿った断面図
【図５】本発明の一実施形態による両方向分岐水栓の斜視図
【図６】図５の両方向分岐水栓に適用される水栓ボディの斜視図
【図７】図６の断面斜視図
【図８】図６の断面図
【図９】図８のＣ−Ｃ線に沿った断面図
【図１０】本発明の一実施形態による両方向分岐水栓に適用される水栓ボディの断面図
【発明を実施するための形態】
【００１６】
以下では、添付図面に基づいて、本発明の実施形態について本発明が属する技術分野において通常の知識を有する者が容易に実施できる程度に詳しく説明する。
一方、下記の本発明に関する説明は、構造的ないし機能的な説明のための実施形態に過ぎない。よって、本発明の権利範囲は、本文に説明された実施形態によって制限されるものではない。
例えば、実施形態は、種々の変更を加えることができ、各種多様な形態を有することができるので、本発明の権利範囲は、技術的思想を実現し得る均等物を含む。
また、本発明において提示された目的又は効果は、特定の実施形態がこれらをすべて含まなければならないか、あるいは、そのような効果のみを含まなければならないという意味ではないため、本発明の権利範囲は、これにより制限されない。
【００１７】
本発明において述べられる用語の意味は、次の通りである。
ある構成要素が他の構成要素と「連結」されているとか、「接続」されているとか、と言及された場合、前記ある構成要素が前記他の構成要素に直接的に連結されたり接続されたりすると理解されるべきであるか、または、新たな他の構成要素を介して連結されたり接続されたりすると理解されるべきである。これに対し、ある構成要素が他の構成要素と「直接的に連結」されているとか、「直接的に接続されている」とか、と言及されたときには、新たな他の構成要素を介して連結されたり接続されたりしないと理解されるべきである。構成要素間の関係を説明する他の言い回し、すなわち、「〜の間に」と「直ちに〜の間に」又は「〜と隣り合う」と「〜と直接的に隣り合う」なども、同様である。
この明細書において用いた用語は、単に特定の実施形態を説明するために用いられたものであり、本発明を限定しようとする意図はない。
単数の表現は、文脈からみて明らかに他の意味を有さない限り、複数の言い回しを含む。
【００１８】
この明細書において、「備える」または「有する」などの用語は、明細書に記載の特徴、数字、段階、動作、構成要素、部品またはこれらを組み合わせたものが存在することを指定するものに過ぎず、一つまたはそれ以上の他の特徴や数字、段階、動作、構成要素、部品またはこれらを組み合わせたものの存在または付加の可能性を予め排除しない。
【００１９】
この明細書に用いられる全ての技術的用語及び科学的用語は、本明細書中で特に指摘したり、明らかに文脈と矛盾したりしない限り、本発明が属する技術分野において通常の知識を有する者にとって一般的に理解される意味を有する。
一般に用いられる、辞書に定義されているような用語は、関連技術の文脈上有する意味と一致する意味を有するものであり、この明細書において明らかに定義しない限り、理想的な意味として、または過度に形式的な意味ではない。
以下、添付図面に基づいて、本発明の好適な実施形態について説明することにより、本発明を詳述する。なお、図中、同じ参照符号は、同じ部材を指し示す。
【００２０】
図５は、本発明の一実施形態による両方向分岐水栓の斜視図である。
図６は、図５の両方向分岐水栓に適用される水栓ボディの斜視図であり、図７は、図６の断面斜視図であり、図８は、図６の断面図であり、そして図９は、図８のＣ−Ｃ線に沿った断面図である。
【００２１】
これらの図面を参照すると、この実施形態による両方向分岐水栓１００は、従前とは異なり、流路の単純化を通して分岐流路を形成することができるので、従前のように鋳造工程を用いる必要なしに、鍛造又は通常の棒材加工で水栓ボディ１１０を製作することができ、これにより、生産コストを格段に節減できるようにしたものである。
【００２２】
このような効果を奏するこの実施形態による両方向分岐水栓１００は、外観ケーシングとしての水栓ハウジング１０１を備え、水栓ハウジング１０１の各位置に多数の部品が連結されるような構造を有する。
水栓ハウジング１０１の一方の側には、端部に温水又は冷水が吐き出される吐出口１０３を有する水栓アーム１０２が連結される。
【００２３】
図面には、水栓アーム１０２が長尺状に示されているが、図面とは異なり、短くてもよく、且つ、水栓アーム１０２が非常に短くて水栓ハウジング１０１に一体に連結されてもよいが、これらのすべてが本発明の権利範囲に属するものといえる。よって、図面の形状により本発明の権利範囲が制限されることはない。
【００２４】
水栓ハウジング１０１の上端部には、吐出口１０３を開閉するレバー１０４が設けられる。この実施形態に適用されるレバー１０４は、シーソー式のものであるが、回転式のものであっても構わない。
【００２５】
水栓ハウジング１０１内には、温水又は冷水を給水する水栓ボディ１１０が設けられる。水栓ボディ１１０を介して温水又は冷水が給水されるために、水栓ボディ１１０に、温水を給水する温水給水ホース１０５と、冷水を給水する冷水給水ホース１０６とが連結される。
【００２６】
一方、水栓ボディ１１０は、本体部１２０と、本体部１２０内に設けられる温水流路１３０及び冷水流路１４０と、冷水流路１４０から二股に分岐して形成される分岐流路１５０と、を備える。
【００２７】
本体部１２０は、水栓ボディ１１０の外観構造物である。本体部１２０の上端部には、多数の開口１２１が形成される。開口１２１を介して、温水給水ホース１０５及び冷水給水ホース１０６を介して給水される温水又は冷水が吐出口１０３に向けられる。
【００２８】
本体部１２０の壁面には、多数の溝部１２２が形成される。本体部１２０は、水栓ボディ１０内の他の部品（図示せず）と協力して、温水若しくは冷水が吐き出されるようにする。
【００２９】
温水流路１３０は、本体部１２０内に設けられるが、温水給水ホース１０５と連結されて温水が流動する場所を形成する。このような温水流路１３０は、拡径温水路１３１と、拡径温水路１３１と連通されるが、拡径温水路１３１よりも幅狭の縮径温水路１３２とを有する。
【００３０】
冷水流路１４０は、冷水給水ホース１０６と連結されて冷水が流動する場所を形成するが、温水流路１３０と隣り合うように本体部１２０内に設けられる。このような冷水流路１４０は、拡径冷水路１４１と、拡径冷水路１４１と連通されるが、拡径冷水路１４１よりも幅狭の縮径冷水路１４２とを有する。
【００３１】
このような温水流路１３０と冷水流路１４０の構造において、冷水流路１４０の拡径冷水路１４１領域における仮想の水平ライン、換言すれば、図８におけるＣ−Ｃ線が通る仮想の水平ラインは、温水流路１３０の縮径温水路１３２に対応する。
分岐流路１５０は、温水流路１３０と冷水流路１４０のうちのどちらか一方の流路から分岐するように本体部１２０に形成される流路である。
【００３２】
この実施形態において、分岐流路１５０は、冷水流路１４０の拡径冷水路１４１に連通されるが、冷水流路１４０の長手方向に交差する方向に沿って二股に分岐するように本体部１２０に形成される。いうまでもなく、分岐流路１５０が温水流路１３０に形成されてもよいが、この実施形態においては、分岐流路１５０が冷水流路１４０に形成される場合を例にとって説明する。
このような分岐流路１５０は、両方向分岐水栓１００の外側に配置されてもよい浄水機、食器洗い機などのモジュールに冷水を給水する流路である。
【００３３】
一方で、前述したように、拡径温水路１３１及び縮径温水路１３２を有する温水流路１３０と、拡径冷水路１４１及び縮径冷水路１４２を有する冷水流路１４０との間の位置別の直径と深さの差異があるため、従前の図４とは異なり、分岐流路１５０を直線状に簡単に形成することができる。すなわち、冷水流路１４０の拡径冷水路１４１領域における仮想の水平ライン、換言すれば、図８におけるＣ−Ｃ線が通る仮想の水平ラインは、温水流路１３０の縮径温水路１３２に対応するため、たとえこのような冷水流路１４０の拡径冷水路１４１に連通されるように分岐流路１５０を形成したとしても、温水流路１３０と干渉せず、その結果、十分に加工することができる。
【００３４】
したがって、分岐流路１５０を直線状に簡単に形成するのに十分であるが、この理由から、分岐流路１５０を備える水栓ボディ１１０は、従前のように中子を用いた鋳造工程を行う必要なしに、この鍛造加工により製作可能であるので、生産コストを節減することが可能になる。
【００３５】
叙上したような構造と作用を有するこの実施形態によれば、従前とは異なり、流路の単純化を通して分岐流路を形成することができるので、従前のように鋳造工程を用いる必要なしに、鍛造又は通常の棒材加工で水栓ボディ１１０を製作することができ、これにより、生産コストを格段に節減することが可能になる。
【００３６】
図１０は、本発明の一実施形態による両方向分岐水栓に適用される水栓ボディの断面図である。
【００３７】
同図を参照すると、この実施形態による水栓ボディ２１０もまた、本体部２２０と、本体部２２０内に設けられる温水流路２３０及び冷水流路２４０と、冷水流路２４０から二股に分岐して形成される分岐流路２５０と、を備えていてもよい。
【００３８】
この実施形態の場合にも、温水流路２３０及び冷水流路２４０間の位置別の直径と深さの差異があるので、たとえ広い領域の冷水流路２４０に分岐流路２５０を形成したとしても、干渉なしに分岐流路２５０を手軽に形成することができる。したがって、この場合、通常の棒材加工で水栓ボディ２１０を製作することができるというメリットがある。
【００３９】
この実施形態が適用されても、従前とは異なり、流路の単純化を通して分岐流路を形成することができるので、従前のように鋳造工程を用いる必要なしに、通常の棒材加工で水栓ボディを製作することができ、これにより、生産コストを格段に節減することができる。
【００４０】
このように、本発明は、記載されている実施形態に何等限定されるものではなく、本発明の思想及び範囲を逸脱することなく、種々の修正及び変形を加えることができるということは、この技術の分野において通常の知識を有する者にとって自明である。よって、これらの修正例又は変形例は、本発明の特許請求の範囲に属する。
【符号の説明】
【００４１】
１００  両方向分岐水栓
１０１  水栓ハウジング
１０２  水栓アーム
１０３  吐出口
１０４  レバー
１０５  温水給水ホース
１０６  冷水給水ホース
１１０  水栓ボディ
１２０  本体部
１３０  温水流路
１３１  拡径温水路
１３２  縮径温水路
１４０  冷水流路
１４１  拡径冷水路
１４２  縮径冷水路
１５０  分岐流路
【図１】
2020063649.tif 000003
【図２】
2020063649.tif 000004
【図３】
2020063649.tif 000005
【図４】
2020063649.tif 000006
【図５】
2020063649.tif 000007
【図６】
2020063649.tif 000008
【図７】
2020063649.tif 000009
【図８】
2020063649.tif 000010
【図９】
2020063649.tif 000011
【図１０】
2020063649.tif 000012
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
本体部と、
拡径温水路と、前記拡径温水路と連通されるが、前記拡径温水路よりも幅狭の縮径温水路とを有し、前記本体部内に設けられ、温水が流動する場所を形成する温水流路と、
拡径冷水路と、前記拡径冷水路と連通されるが、前記拡径冷水路よりも幅狭の縮径冷水路とを有し、冷水が流動する場所を形成するが、前記温水流路と隣り合うように前記本体部内に設けられる冷水流路と、
前記温水流路と前記冷水流路のうちのどちらか一方の流路から分岐するように前記本体部に形成される分岐流路と、を備え、
前記拡径冷水路が前記拡径温水路よりも長いと共に、前記縮径冷水路が前記縮径温水路よりも短いことで、前記拡径冷水路と前記縮径温水路が対向する区間を有し、
その区間で、前記分岐流路が、前記拡径冷水路と前記縮径温水路に交差するように直線状に配置され、また、前記分岐流路の径が、前記縮径温水路とは連通されないと共に、前記拡径冷水路には連通する径であり、
更に、温水または冷水が流入するための管が連結される部位である前記温水流路と前記冷水流路における下側には、前記拡径温水路と前記拡径冷水路がそれぞれ配置される
ことを特徴とする水栓ボディ。
【請求項２】
前記分岐流路は、前記冷水流路の拡径冷水路又は前記温水流路の拡径温水路に連通されるが、前記冷水流路の長手方向に交差する方向に沿って二股に分岐するように前記本体部に形成される
請求項１に記載の水栓ボディ。
【請求項３】
前記分岐流路は、鍛造又は通常の棒材加工により前記本体部内に形成される
請求項１に記載の水栓ボディ。
【請求項４】
水栓ハウジングと、
前記水栓ハウジングの一方の側に連結され、端部に温水又は冷水が吐き出される吐出口を有する水栓アームと、
前記水栓ハウジングに連結され、前記吐出口を開閉するレバーと、
前記水栓ハウジング内に設けられ、温水又は冷水を給水する水栓ボディと、
前記水栓ボディに温水を給水する温水給水ホースと、
前記水栓ボディに冷水を給水する冷水給水ホースと、を備え、
前記水栓ボディは、
本体部と、
拡径温水路と、前記拡径温水路と連通されるが、前記拡径温水路よりも幅狭の縮径温水路とを有し、前記本体部内に設けられるが、前記温水給水ホースと連結されて温水が流動する場所を形成する温水流路と、
拡径冷水路と、前記拡径冷水路と連通されるが、前記拡径冷水路よりも幅狭の縮径冷水路とを有し、前記冷水給水ホースと連結されて冷水が流動する場所を形成するが、前記温水流路と隣り合うように前記本体部内に設けられる冷水流路と、
前記温水流路と前記冷水流路のうちのどちらか一方の流路から分岐するように前記本体部に形成される分岐流路と、を備え、
前記拡径冷水路が前記拡径温水路よりも長いと共に、前記縮径冷水路が前記縮径温水路よりも短いことで、前記拡径冷水路と前記縮径温水路が対向する区間を有し、
その区間で、前記分岐流路が、前記拡径冷水路と前記縮径温水路に交差するように直線状に配置され、また、前記分岐流路の径が、前記縮径温水路とは連通されないと共に、前記拡径冷水路には連通する径であり、
更に、温水または冷水が流入するための管が連結される部位である前記温水流路と前記冷水流路における下側には、前記拡径温水路と前記拡径冷水路がそれぞれ配置される
ことを特徴とする両方向分岐水栓。
【請求項５】
前記分岐流路は、前記冷水流路の拡径冷水路又は前記温水流路の拡径温水路に連通されるが、前記冷水流路の長手方向に交差する方向に沿って二股に分岐するように前記本体部に形成される
請求項４に記載の両方向分岐水栓。
【請求項６】
前記分岐流路を備える前記水栓ボディは、鍛造又は通常の棒材加工により前記本体部内に形成される
請求項４に記載の両方向分岐水栓。